(57)【要約】【課題】本発明は、レンズ群の厚さが厚い場合でもそのレンズ群を保持したレンズ群保持枠又は遮光部材の光軸方向の長さを長くする必要がないレンズユニットの提供を目的とする。【解決手段】第２レンズ群３２と、第２レンズ群３２を保持した第２レンズ群保持枠７３と、不要光を遮るための筒状の遮光部材９とを備える。第２レンズ群３２は、第２レンズ群保持枠７３から光軸方向に突出したレンズ突出部３３を備える。遮光部材９は、レンズ嵌挿部９１を備えている。そして、このレンズ嵌挿部９１がレンズ突出部３３に嵌挿されることにより、遮光部材９が第２レンズ群３２に取り付けられている。【選択図】図４
2015087496.tif 000002
【特許請求の範囲】
【請求項１】
１又は複数のレンズを有する少なくとも１つのレンズ群と、前記レンズ群を保持したレンズ群保持枠と、不要光を遮るための筒状の遮光部材とを備え、
前記レンズ群の内の少なくとも１つのレンズは、そのレンズ群を保持した前記レンズ群保持枠から光軸方向に突出したレンズ突出部を備え、
前記遮光部材は、前記レンズ突出部に取り付けられていることを特徴とするレンズユニット。
【請求項２】
前記遮光部材は、前記レンズ突出部の外周部が嵌挿されるレンズ嵌挿部を備えていることを特徴とする請求項１記載のレンズユニット。
【請求項３】
前記遮光部材は、前記レンズ突出部の光軸方向の端面に当接する端面当接部を備えていることを特徴とする請求項１又は２記載のレンズユニット。
【請求項４】
前記レンズ突出部と前記遮光部材とが、接着剤によって固定され、
前記遮光部材は、前記レンズ嵌挿部と隣接した位置に、前記接着剤を貯留し得るように前記レンズ嵌挿部から径方向外側に向けて凹まされるように形成された凹部を備えていることを特徴とする請求項１〜３のいずれか一項に記載のレンズユニット。
【請求項５】
前記接着剤は、湿気硬化性が付与された紫外線硬化型接着剤であることを特徴とする請求項４記載のレンズユニット。
【請求項６】
筒状体を、更に備え、
前記レンズ群保持枠は、前記筒状体の内周側に保持され、
前記遮光部材は、その外周部に、前記筒状体の内周と前記レンズ群保持枠に保持されたレンズ群の外周との間から入ってくる不要光を遮る外周側進入光用遮光部を備えていることを特徴とする請求項１〜５のいずれか一項に記載のレンズユニット。
【請求項７】
前記レンズ突出部は、前記光軸方向における前記遮光部材とレンズ群保持枠との間の外周部に墨塗りされた墨被覆部を備えていることを特徴とする請求項１〜６のいずれか一項に記載のレンズユニット。
【発明の詳細な説明】
【技術分野】
【０００１】
本発明は、レンズユニットに関するものである。
【背景技術】
【０００２】
従来から、不要光を遮るための遮光部材を備えたレンズユニットは、広く知られている。例えば特許文献１に、遮光部材を備えたレンズユニットが開示されている。この特許文献１に開示されたレンズユニットの遮光部材は、レンズ群を保持したレンズ群保持枠に装着される筒状部と、筒状部の一端から径方向内側に延びる所定の開口を有する遮光部材とを備えたものである。
【先行技術文献】
【特許文献】
【０００３】
【特許文献１】特開２０１１−３３９８９号公報
【発明の概要】
【発明が解決しようとする課題】
【０００４】
しかしながら、特許文献１では、遮光部材は、レンズ群保持枠に装着されるため、例えばレンズ群の厚さが厚い場合には、レンズ群の厚さに応じてレンズ群保持枠の光軸方向の長さを長くするか、或いは、遮光部材の光軸方向の長さを長くしなければならない。その結果、光軸方向に長くなり、レンズユニット全体の重量が重くなるとともに、製造コストが高くついてしまうという問題点がある。
【０００５】
本発明は、レンズ群の厚さが厚い場合でも、そのレンズ群を保持したレンズ群保持枠又は遮光部材の光軸方向の長さを長くする必要のないレンズユニットの提供を目的とする。
【課題を解決するための手段】
【０００６】
本発明のレンズユニットは、１又は複数のレンズを有する少なくとも１つのレンズ群と、前記レンズ群を保持したレンズ群保持枠と、不要光を遮るための筒状の遮光部材とを備え、前記レンズ群の内の少なくとも１つのレンズは、そのレンズ群を保持した前記レンズ群保持枠から光軸方向に突出したレンズ突出部を備え、前記遮光部材は、前記レンズ突出部に取り付けられていることを特徴とする。
【０００７】
この構成によれば、遮光部材はレンズ突出部に取り付けられるため、レンズ群の厚さが厚い場合でも、レンズ群保持枠又は遮光部材の光軸方向の長さを長くする必要のないものにできる。従って、レンズユニット全体の重量を抑えることができるとともに、製造コストを抑えることができる。
【０００８】
他の一態様では、前記遮光部材は、前記レンズ突出部の外周部が嵌挿されるレンズ嵌挿部を備えていることを特徴とする。
【０００９】
この構成によれば、嵌挿部によって、遮光部材がレンズ突出部の外周部に容易に装着される。これにより、遮光部材のレンズ突出部への装着作業が容易となる。
【００１０】
他の一態様では、前記遮光部材は、前記レンズ突出部の光軸方向の端面に当接する端面当接部を備えていることを特徴とする。
【００１１】
この構成によれば、端面当接部によって、遮光部材がレンズ突出部に対する光軸方向の位置決めをした状態でレンズ突出部に取り付けられる。よって、遮光部材のレンズ突出部への取付けが容易に行われる。
【００１２】
他の一態様では、前記レンズ突出部と前記遮光部材とが、接着剤によって固定され、前記遮光部材は、前記レンズ嵌挿部と隣接した位置に、前記接着剤を貯留し得るように前記レンズ嵌挿部から径方向外側に向けて凹まされるように形成された凹部を備えていることを特徴とする。
【００１３】
この構成によれば、レンズ突出部と遮光部材とがレンズ突出部に接着剤によって固定されるため、遮光部材はレンズ突出部に確実に固定できる。又、接着剤による接着に際し、レンズ突出部の外周部と嵌挿部との間に接着剤が入り込んだ場合でもその入り込んだ接着剤が凹部で貯まり、レンズ突出部の外周部と嵌挿部との間からレンズ群の軸方向の端面（レンズ有効面）に流れ出るおそれの少ないものにできる。
【００１４】
他の一態様では、前記接着剤は、湿気硬化性が付与された紫外線硬化型接着剤であることを特徴とする。
【００１５】
この構成によれば、紫外線の照射によって接着剤が硬化して遮光部材とレンズ突出部とが接着される。又、その際、接着剤は湿気硬化性が付与されたものが用いられているため、接着剤の一部に紫外線が十分に照射されない場合でも、時間の経過によって空気中の湿気によってその一部が硬化する。従って、接着剤の全体が確実に硬化し、レンズ突出部の外周部と嵌挿部との間からレンズ群の軸方向の端面（レンズ有効面）に流れ出るおそれの少ないものにできる。
【００１６】
他の一態様では、筒状体を、更に備え、前記レンズ群保持枠は、前記筒状体の内周側に保持され、前記遮光部材は、その外周部に、前記筒状体の内周と前記レンズ群保持枠に保持されたレンズ群の外周との間から入ってくる不要光を遮る外周側進入光用遮光部を備えていることを特徴とする。
【００１７】
この構成によれば、外周側進入光用遮光部によって、例えば筒状体の内周とレンズ群保持枠の外周との間から入ってくる不要光を遮ることができ、より確実に、遮光部材で不要光を遮ることができる。
【００１８】
他の一態様では、前記レンズ突出部は、前記光軸方向における前記遮光部材とレンズ群保持枠との間の外周部に墨塗りされた墨被覆部を備えていることを特徴とする。
【００１９】
この構成によれば、墨被覆部によって光軸方向における遮光部材とレンズ群保持枠との間の外周部におけるフレアを抑えることができる。
【発明の効果】
【００２０】
本発明のレンズユニットは、レンズ群の厚さが厚い場合でもそのレンズ群を保持したレンズ群保持枠又は遮光部材の光軸方向の長さを長くする必要がない。
【図面の簡単な説明】
【００２１】
【図１】本発明の一実施形態のレンズユニットの断面図である。
【図２】図１のレンズユニットに用いられる固定筒、カム環、入力伝達リング、オート用入力リング及びマニュアル用入力リングの分解斜視図である。
【図３】レンズ群保持枠に保持されたレンズ群のレンズ突出部に遮蔽部材が取り付けられた状態の斜視図である。
【図４】図３の要部拡大断面図である。
【発明を実施するための形態】
【００２２】
以下、本発明を実施するための形態について、図面を参照しながら詳細に説明する。図１は、本発明の一実施形態のレンズユニットの断面図、図２は、図１のレンズ鏡筒に用いられる固定筒、カム環、入力伝達リング、オート用入力リング及びマニュアル用入力リングの分解斜視図、図３は、第２レンズに遮光部材を取り付けた状態の斜視図、図４は、図３の断面図である。尚、図１〜図５におけるＸ−Ｙ方向を前後方向（光軸方向）とし、又、Ｘ方向を前方側（対物側）とし、Ｙ方向を後方側（像側）として説明する。
【００２３】
この実施形態のレンズユニット１は、図１に示すようにレンズ鏡筒１０と、レンズ群３１、３２と、遮光部材９とを備えている。
【００２４】
レンズ鏡筒１０は、円筒状の固定筒（筒状体）２と、オートフォーカス動作部と、マニュアルフォーカス動作部と、入力伝達リング４と、カム環５と、レンズ保持部材７とを備えている。
【００２５】
固定筒２は、図２に示すように、後部側に、軸方向（光軸方向）に延ばされた３つの摺動軸案内溝２２と、カム環５とバヨネット係合するためのバヨネット係合用凸部２３とを備えている。摺動軸案内溝２２は、レンズ群３１，３２を光軸方向に案内するためのもので、周方向に沿って等間隔に配設されている。
【００２６】
この固定筒２の外周側には、図１に示すように円筒状のカバー２１が配設されており、固定筒２は、その外周側がカバー２１によって覆われている。
【００２７】
オートフォーカス動作部は、図２に示すようにモータ６１と、制御部６２と、オート用入力リング６３とを備えている。モータ６１は、この実施形態では、出力ギア６１ｃを有する減速用ギア６１ｂを備えている。そして、このモータ６１は、出力ギア６１ｃを後側になるようにして固定筒２の外周に取り付けられている。
【００２８】
制御部６２は、例えばモータ６１と通電可能に接続されてモータ６１の制御等を行なう。この制御部６２は、固定筒２の外周側におけるモータ６１の周方向側に、モータ６１の近傍に互いに周方向に隣接するようにして配設されて固定筒２に取付けられている。尚、図２では、制御部６２の基板のみ表し、基板に配設された電子部品を省略している。
【００２９】
このようにして、モータ６１と制御部６２とを互いに近接させて互いに固定筒２の周方向に隣接するように配設することにより、両者の電気接続を容易に行い得るようにしているとともに、制御部６２とモータ６１との設置が軸方向に短くなり、固定筒２の軸方向の長さを短くできるようにしている。
【００３０】
オート用入力リング６３は、円筒状のものから構成されている。この実施形態では、オート用入力リング６３は、筒本体６３ａと、ギアリング６３ｂとから構成されている。筒本体６３ａは、その後面に、後述の転動ローラー４２ｂが転動する第２ローラー転動部６３ｄを備えている。
【００３１】
ギアリング６３ｂは、外周の全周に渡って、モータ６１の出力ギア６１ｃと噛合する第１ギア６３ｅを備えている。そして、このギアリング６３ｂは、図１に示すように、筒本体６３ａの前方側に固定的に取り付けられている。
【００３２】
このように構成されたオート用入力リング６３は、固定筒２の外周におけるモータ６１の後方側に、固定筒２に設けられたベアリング２４に後方側から当接するようにして固定筒２の軸まわりに回動自在に配設されている。
【００３３】
又、この状態で、オート用入力リング６３の第１ギア６３ｅとモータ６１の出力ギア６１ｃとが噛合し、出力ギア６１ｃの回動に伴って、オート用入力リング６３が固定筒２の外周を回動するようになっている。
【００３４】
尚、この実施形態では、オート用入力リング６３は、筒本体６３ａと、筒本体６３ａと別体のギアリング６３ｂとから構成されたが、両者を一体的に形成したものであっても良く、適宜変更できる。
【００３５】
マニュアルフォーカス動作部は、マニュアル用入力リング７６と、マニュアル用入力リング７６を操作するマニュアル駆動操作部材としてのマニュアル操作リング７７とを備えている。
【００３６】
マニュアル用入力リング７６は、図２に示すように円板状のものから構成されており、前面に、後述の転動ローラー４２ｂが転動する第１ローラー転動部７６ａを備えている。
【００３７】
そして、このマニュアル用入力リング７６は、図１に示すように固定筒２の軸方向におけるオート用入力リング６３の後方側に、固定筒２の軸まわりに回動自在に配設されている。
【００３８】
マニュアル操作リング７７は、図１に示すように、円筒状のものから構成され、外周側に、回動操作部７７ｂを備え、内周側に、径方向内側に突設された入力リング保持部７７ａを備えている。
【００３９】
この入力リング保持部７７ａは、円板状のものから構成され、マニュアル用入力リング７６を後方側から、後述の付勢部材１１を介して操作する。
【００４０】
そして、このマニュアル操作リング７７は、固定筒２の外周側に、固定筒２の軸まわりに回動自在に配設されている。又、この状態で、入力リング保持部７７ａは、オート用入力リング６３の後方側に、第２ローラー転動部６３ｄと対向するように配設されている。
【００４１】
次に、入力伝達リング４について説明する。入力伝達リング４は、図２に示すように円筒状のものから構成されており、前端側に、カム環係合用凹部４４を備えている。
【００４２】
カム環係合用凹部４４は、この実施形態では、入力伝達リング４の周方向に等間隔に配設された２つから構成されており、各カム環係合用凹部４４は、入力伝達リング４の内周面に、前端面から所定の深さで形成されている。
【００４３】
又、入力伝達リング４には、入力伝達リング４に保持された少なくとも３つ（この実施形態では、３つ）の連動部材４２が付設されている。
【００４４】
連動部材４２は、入力伝達リング４とオート用入力リング６３とを連動させるとともに、入力伝達リング４とマニュアル用入力リング７６とを連動させるもので、連動部材４２の夫々は、ローラー軸４２ａと、転動ローラー４２ｂとを備えている。各転動ローラー４２ｂは、ローラー軸４２ａに回動自在に支持されている。
【００４５】
又、転動ローラー４２ｂを支持したローラー軸４２ａは、転動ローラー４２ｂを入力伝達リング４の外周側に、その軸方向を固定筒２の軸と直交（光軸と直交）する方向に配設されて入力伝達リング４に取り付けられている。又、この状態で、転動ローラー４２ｂは、入力伝達リング４の軸方向の前後両端面の夫々から軸方向に突出している。又、このようにして入力伝達リング４に取り付けられた３つの連動部材４２は、入力伝達リング４の周方向に等間隔になるように配設されている。
【００４６】
このように構成された入力伝達リング４は、固定筒２の軸方向（光軸方向）におけるオート用入力リング６３とマニュアル用入力リング７６との間に、固定筒２に対して入力伝達リング４が固定筒２の軸まわり（光軸まわり）に回動自在になるように、固定筒２の外周側に配設されている。
【００４７】
又、この状態で、転動ローラー４２ｂは、オート用入力リング６３の第２ローラー転動部６３ｄとマニュアル用入力リング７６の第１ローラー転動部７６ａとの間に配設され、付勢部材１１によって両者に加圧状態で挟持されている。
【００４８】
詳しくは、マニュアル操作リング７７の入力リング保持部７７ａとマニュアル用入力リング７６との間に、波板リング状のスプリングからなる付勢部材１１が設けられており、この付勢部材１１によって、マニュアル用入力リング７６は、前方側のオート用入力リング６３側に付勢されている。
【００４９】
そして、この付勢力により、マニュアル用入力リング７６の第１ローラー転動部７６ａが転動ローラー４２ｂを押圧し、この押圧によって転動ローラー４２ｂがオート用入力リング６３の第２ローラー転動部６３ｄに押し付けられている。
【００５０】
これにより、転動ローラー４２ｂは、第２ローラー転動部６３ｄと第１ローラー転動部７６ａとに、一定の付勢力がかかった状態で挟持されている。尚、転動ローラー４２ｂに押圧されたオート用入力リング６３は、ベアリング２４に受けられた状態に維持される。
【００５１】
次に、カム環５について説明する。カム環５は、図２に示すように３つのバヨネット係合部５１（図２で１つだけ表れている）と、３つのカム溝５２と備えている。バヨネット係合部５１は、カム環５を固定筒２に、固定筒２の軸まわり（光軸まわり）に回動可能且つ軸方向移動不能に係合する。
【００５２】
この実施形態では、バヨネット係合部５１は、カム環５の前部側における周方向の３箇所に配設されている。各バヨネット係合部５１は、固定筒２のバヨネット係合用凸部２３が摺動自在に係合する係合溝５１ａと、バヨネット係合用凸部２３を係合溝５１ａに入れる溝入口５１ｂとを備えている。
【００５３】
摺動溝５１ａは、カム環５の内周面に、周方向に所定の長さで形成されている。溝入口５１ｂは、カム環５の前端面から所定の深さで、係合溝５１ａの一端と連通するように形成されている。
【００５４】
カム溝５２は、カム環５の回動に際してレンズ群３１、３２を固定筒２の軸方向に駆動させるためのもので、周方向に等間隔に配設されている。各カム溝５２は、軸方向及び周方向に対して所定の角度をなして所定の長さで延ばされた長穴状のものから構成されている。
【００５５】
又、カム環５は、カム環５の前部側の外周面におけるカム環係合用凹部４４に対応する位置に、カム環係合用凹部４４と係合する２つのリング係合用凸部５３を備えている。各リング係合用凸部５３は、周方向の幅がカム環係合用凹部４４の幅と同幅に形成され、カム環係合用凹部４４に周方向移動不能かつ軸方向移動可能に嵌挿する。
【００５６】
そして、カム環５は、図１に示すように固定筒２の後部側の外周側に回動自在に挿入されているとともに、バヨネット係合用凸部２３を係合溝５１ａに固定筒２のバヨネット係合用凸部２３が摺動可能に挿入されている。又、この状態で、カム環５は、径方向における固定筒２と入力伝達リング４との間に配設されて、カム環５のリング係合用凸部５３がカム環係合用凹部４４に嵌挿した状態になっている。
【００５７】
次に、レンズ保持部材７について説明する。レンズ保持部材７は、この実施形態では、図１に示すようにレンズ保持部材本体７１と、レンズ保持部材本体７１に取り付けられた摺動軸７５と、レンズ保持部材本体７１の前部側に連結された第１レンズ群保持枠７２と、レンズ保持部材本体７１の後部側に連結された第２レンズ群保持枠７３とを備えている。
【００５８】
レンズ保持部材本体７１は、円筒状を呈し、前端側の内周に、第１レンズ群保持枠７２と連結する第１保持枠連結用ネジ部７１ａを、後端側の内周に、第２レンズ群保持枠７３と連結する第２保持枠連結用ネジ部７１ｂを、それぞれ備えている。
【００５９】
又、レンズ保持部材本体７１は、後部側に、摺動軸７２を取り付けた摺動軸取付用雌ネジ部７１ｃを備えている。摺動軸取付用雌ネジ部７１ｃは、レンズ保持部材本体７１の周方向に沿って等間隔に配設された３つ、備えている（図１では、１つだけ表れている）。
【００６０】
摺動軸７５は、摺動軸取付用雌ネジ部７１ｃのそれぞれに取り付けられた同構成を採る３つ（図１に、１つだけ表れている）から構成されている。
【００６１】
各摺動軸７５は、軸方向の一端側に、摺動軸取付用雌ネジ部７１ｃに螺合する雄ネジ部７５ａを備え、他端側に、カム環５のカム溝５２を摺動するカム溝摺動部７２ｃを備えているとともに、カム溝摺動部７２ｃと雄ネジ部７５ａとの間に、固定筒２の摺動軸案内溝２２を摺動する案内溝摺動部７２ｄを備えている。
【００６２】
第１レンズ群保持枠７２は、円筒状を呈し、内周側に、後述の第１レンズ群３１を保持したレンズ保持部７２ａを備えている。又、第１レンズ群保持枠７２は、外周側の後部に、本体連結用雄ネジ部７２ｂを備えている。
【００６３】
そして、この本体連結用雄ネジ部７２ｂがレンズ保持部材本体７１の第１保持枠連結用ネジ部７１ａに螺合され、これにより、第１レンズ群保持枠７２がレンズ保持部材本体７１の前部側に連結されている。
【００６４】
第２レンズ群保持枠７３は、円筒状を呈し、内周側に、後述の第２レンズ群３２を保持したレンズ保持部７３ａを備えている。又、第２レンズ群保持枠７３は、外周側に、本体連結用雄ネジ部７３ｂを備えている。
【００６５】
そして、この本体連結用雄ネジ部７３ｂがレンズ保持部材本体７１の第２保持枠連結用ネジ部７１ｂに螺合され、これにより、第２レンズ群保持枠７３がレンズ保持部材本体７１の後部側に連結されている。
【００６６】
次に、レンズ群３１、３２について説明する。レンズ群は、この実施形態では、第１レンズ群保持枠７２のレンズ保持部７３ａに保持された第２レンズ群保持枠７３のレンズ保持部７３ａに保持された第２レンズ群３２とを備えている。これらの第１レンズ群３１及び第２レンズ群３２は、１又は複数のレンズから構成される。
【００６７】
又、この実施形態では、第２レンズ群３２は、後部側（一端側）が第２レンズ群保持枠７３の後端から後方に突出されたレンズ突出部３３を備えている。又、レンズ突出部３３は、少なくとも光軸方向における遮光部材９と第２レンズ群保持枠７３との間の外周部に、墨塗りされた墨被覆部３３ａを備えている。
【００６８】
この実施形態では、墨被覆部３３ａは、光軸方向における遮光部材９と第２レンズ群保持枠７３との間の外周部にのみ形成されているが、例えば遮光部材９の内周側と第２レンズ群保持枠の内周側との一方又は両方に、上記外周部に代えて又は上記外周部と共に形成されてもよい。
【００６９】
次に、遮光部材９について説明する。遮光部材９は、不要光を遮るためのもので、この実施形態では、第２レンズ群３２のレンズ突出部３３に取り付けられている。
【００７０】
この実施形態の遮光部材９は、図３、図４に示すように略円筒状を呈しており、その前端面に、接着剤１００を受容する接着剤充填部９２を備えている。この接着剤充填部９２は、遮光部材９の前端面の全周に渡って、前端面から凹まされるように形成されている。
【００７１】
又、遮光部材９は、内周側に、第２レンズ群３２のレンズ突出部３３の外周部が嵌挿されるレンズ嵌挿部９１と、レンズ突出部３３の端面３３ｂに当接する端面当接部９３とを備えている。
【００７２】
端面当接部９３は、レンズ嵌挿部９１の後方側に、レンズ嵌挿部９１から径方向内側に突設されている。
【００７３】
又、この実施形態では、遮光部材９は、レンズ嵌挿部９１の一部に形成された凹部９４を備えている。この凹部９４は、接着剤充填部９２からレンズ突出部３３の外周部とレンズ嵌挿部９１との間を流れてきた接着剤１００を貯留するためのもので、レンズ嵌挿部９１における軸方向に所定の幅で、遮光部材９の内周の全周に形成されている。
【００７４】
従って、レンズ嵌挿部９１は、接着剤充填部９２の前方側に配設された前部嵌挿部９１ａと、接着剤充填部９２の後方側に配設された前部嵌挿部９１ａと同じ径の後部嵌挿部９１ｂとに分離されている。
【００７５】
又、遮光部材９は、外周に、レンズ群３２の外周側を通って入ってくる不要光を遮る外周側進入口光用遮光部９５を備えている。この外周側進入口光用遮光部９５は、外周の後部に全周に渡って、遮光部材９の外周から径方向外側に突設されている。
【００７６】
尚、上記実施形態では、外周側進入口光用遮光部９５は、遮光部材９の外周の後部側に配設されているが、例えば遮光部材９の外周の前部側又は前後中央部に配設し、或いは、その外周の全体に形成してもよい。ただし、例えば上記実施形態のように遮光部材９の外周における軸方向の一部に、当該一部以外の他の部分よりも径方向外側に突設させるようにすれば、軽量化を図ることができる点で好ましい。
【００７７】
このように構成された遮光部材９は、レンズ嵌挿部９１にレンズ突出部３３の外周が嵌挿されるとともに、端面当接部９３が第２レンズ群３２の端面３３ｂに当接される。これにより、遮光部材９は、第２レンズ群３２に対して径方向及び光軸方向を位置決めされて第２レンズ群３２に配設できる。
【００７８】
そして、この状態から、接着剤１００が、接着剤充填部９２に充填される。この実施形態では、湿気硬化性が付与された紫外線硬化型接着剤１００が用いられる。
【００７９】
接着剤充填部９２に充填された接着剤１００は、第２レンズ群３２の外周に付着する。そして、この状態で、接着剤１００に紫外線があたることで硬化し、これにより、遮光部材９とレンズ突出部３３とが固定的に接着する。
【００８０】
又、その際、紫外線が十分に当たらない場合には、その当たらない接着剤１００の一部は、接着剤充填部９２から、前部嵌挿部９１ａと第２レンズ群３２の外周との間に流れ込むおそれがある。しかし、そのように流れ込んだ場合でも、流れ込んだ接着剤１００は、凹部９４に溜まる。これにより、第２レンズ群３２の外周から端面（レンズ有効面）３３ｂに流れるおそれの少ないものにできる。しかも、凹部９４の後方側に後部嵌挿部９１ｂが形成されているため、より一層、第２レンズ群３２の外周から端面３３ｂに流れるおそれの少ないものにできる。
【００８１】
又、その接着剤充填部９２から流れ込んだ接着剤１００の一部は、時間の経過によって空中の湿気によって硬化する。これにより、より確実に、第２レンズ群３２の外周から端面３３ｂに流れるおそれの少ないものにできる。尚、この実施形態では、湿気硬化性が付与された紫外線硬化型接着剤を使用したが、接着剤の流れ込み難い常温速硬化形の弾性接着剤を使用してもよい。
【００８２】
以上のように構成されたレンズユニット１は、例えば、図示しないオートフォーカススイッチを入り操作する。これにより、制御部６２の制御に従って、モータ６１へ電力が供給され、それに伴い出力ギア６１ｃが回動する。
【００８３】
又、この出力ギア６１ｃの回動に伴って、その出力ギア６１ｃと噛合したオート用入力リング６３が回動する。また、この回動に伴い、転動ローラー４２ｂが第２ローラー転動部６３ｄを転動する。その際、転動ローラー４２ｂが第２ローラー転動部６３ｄとマニュアル用入力リング７６の第１ローラー転動部７６ａとに挟持されているとともに、マニュアル用入力リング７６が付勢部材１１の付勢力等によって回動が規制されているため、転動ローラー４２ｂは自転しながら、固定筒２のまわりを公転し、これにより、転動ローラー４２ｂを保持した入力伝達リング４が回動する。
【００８４】
そして、その入力伝達リング４の回動によって、リング係合用凸部５３とカム環係合用凹部４４とによって回動不能に係合されたカム環５が回動する。
【００８５】
又、カム環５の回動によって、固定筒２の摺動軸案内溝２２及びカム環５のカム溝５２夫々に入り込んだ摺動軸７５がそれらの溝２２、５２を摺動する。そして、摺動軸７５の摺動に伴い、レンズ保持部材７が固定筒２の軸方向に移動し、レンズ保持部材７に保持されたレンズ群３１、３２がレンズ保持部材７が固定筒２の軸方向に移動する。
【００８６】
一方、この状態から、マニュアル操作リング７７を手で回動操作する。これにより、マニュアル用入力リング７６が回動し、第１ローラー転動部７６ａを転動ローラー４２ｂが転動する。その際、転動ローラー４２ｂを第１ローラー転動部７６ａと挟持したオート用入力リング６３は、モータ６１と噛合して回動できないため、転動ローラー４２ｂは自転しながら、固定筒２のまわりを公転し、入力伝達リング４全体が回動する。以下、上述したと同様に、カム環５が回動し、そのカム環５の回動によって、固定筒２の摺動軸案内溝２２及びカム環５のカム溝５２夫々に入り込んだ摺動軸７５がそれらの溝２２、５２を摺動する。そして、摺動軸７５の摺動に伴い、レンズ保持部材７が固定筒２の軸方向に移動し、レンズ保持部材７に保持されたレンズ群３１、３２がレンズ保持部材７が固定筒２の軸方向に移動する。
【００８７】
又、レンズ鏡筒１０の前方側から第１レンズ群３１、第２レンズ群３１を通って入ってきた不要光は第２レンズ群３１を通過する際に、遮光部材９によって遮られる。
【００８８】
又、レンズ鏡筒１０の前方側から、固定筒２の内周とレンズ群３１、３２の外周側、例えば固定筒２の内周と第１レンズ群保持枠７２の外周との間及び固定筒２の内周と第２レンズ群保持枠の外周との間から入ってくる不要光１０１が遮光部材９の外周側進入口光用遮光部９５で遮られる。
【００８９】
以上のように構成されたレンズユニットは、遮光部材がレンズ突出部に取り付けられるため、レンズ群の厚さが厚い場合でも、レンズ群保持枠又は遮光部材の光軸方向の長さを長くする必要のないものにできる。従って、レンズユニット全体の重量を抑えることができるとともに、製造コストを抑えることができる。
【００９０】
尚、上記実施形態では、遮光部材９は、第２レンズ群保持枠７３に保持された第２レンズ群３２に取り付けられたが、この形態のものに限らず、適宜変更できる。例えば、遮光部材９は、第１レンズ群保持枠７２に保持された第１レンズ群３１と上記第２レンズ群３２との一方又は両方に取り付けられてもよい。
【００９１】
又、上記実施形態では、レンズ群は、第１レンズ群３１と第２レンズ群３２との２つから構成されたが、３つ以上から構成されてもよく、適宜変更できる。又、その場合は、それら３つの内の少なくとも１つのレンズ群に遮光部材を取り付ければよい。
【００９２】
又、上記実施形態では、遮光部材９は、第２レンズ群３２における像側となる後端側に取り付けられたが、例えば対物側となる前端側に取り付けられてもよく、適宜変更しうる。
【符号の説明】
【００９３】
１    レンズユニット
２    固定筒
４    入力伝達リング
５    カム環
７    レンズ保持部材
９    遮光部材
３１    第１レンズ群
３２    第２レンズ群
３３    レンズ突出部
７２    第１レンズ群保持枠
７３    第２レンズ群保持枠
９１    レンズ嵌挿部
９２    端面当接部
９４    凹部
【図１】
2015087496.tif 000003
【図２】
2015087496.tif 000004
【図３】
2015087496.tif 000005
【図４】
2015087496.tif 000006